(57)【要約】【課題】工具ヘッドを交換可能な手工具構造を提供する。【解決手段】  本考案の工具ヘッドを交換可能な手工具構造は、特に一種のスパナヘッドを交換可能なスパナで、かつスパナヘッドは軸方向の回転により調整が可能なもので、手工具本体１、持ち手部１０、挿入設置部１１、挿入設置孔１１１からなり、挿入設置孔１１１と対応する嵌接部１２２を備えたスパナヘッド１２が必要とする軸方向の角度を調整後に挿入設置孔内１１１に挿入し、手工具本体１と結合させることにより、手工具本体１の適用範囲を広げ、使用者の利便性を向上させる。【選択図】  図１
0003116359.tif 000002
【実用新案登録請求の範囲】
【請求項１】
手工具本体を含み、
該手工具本体は少なくとも持ち手部を含み、該持ち手部は少なくとも一端に挿入設置部を延伸、形成し、
該挿入設置部前端には挿入設置孔を設置し、該挿入設置孔は幾何学形状の設置空間を形成し、該挿入設置孔にはスパナヘッドを嵌設し、
該スパナヘッドの一端には該挿入設置孔の形状と相互に対応する嵌接部を設置し、これにより該スパナヘッドが必要とする軸方向の角度を調整後に該挿入設置孔内に挿入し、該手工具本体と結合し、該挿入設置孔に異なるスパナ部を挿入設置することにより、該手工具本体の適用範囲を広げることを特徴とする工具ヘッドを交換可能な手工具構造。
【請求項２】
前記持ち手部と前記挿入設置部間には可動回転構造を設置することを特徴とする請求項１記載の工具ヘッドを交換可能な手工具構造。
【請求項３】
前記スパナヘッドの嵌接部には結合部品を設置し、該結合部品により前記スパナヘッドは前記挿入設置孔から脱落しにくくなることを特徴とする請求項１記載の工具ヘッドを交換可能な手工具構造。
【請求項４】
前記結合部品はボールであることを特徴とする請求項３記載の工具ヘッドを交換可能な手工具構造。
【請求項５】
前記結合部品はC型フックであることを特徴とする請求項３記載の工具ヘッドを交換可能な手工具構造。
【請求項６】
前記結合部品は磁性吸着部品であることを特徴とする請求項３記載の工具ヘッドを交換可能な手工具構造。
【考案の詳細な説明】
【技術分野】
【０００１】
本考案は一種の工具ヘッドを交換可能な手工具構造に関する。特に一種のスパナヘッドを交換可能なスパナで、かつ該スパナヘッドは軸方向の回転により調整が可能である工具ヘッドを交換可能な手工具構造に係る。
【背景技術】
【０００２】
ここ数年のDIYブームは社会に浸透し、DIYがごく日常的な光景になるに連れて、手工具の技術も成熟し安定して来ている。これを受けて、手工具生産業界は一般の消費者でも簡単にかつ十分な効果を発揮しつつ使えるよう、使い易い、或いは人に優しい機能を具えた手工具を次々に世に出している。
図１１、１２、１３に示す中華民国特許公告第333112号「改良された開口スパナ追加一」は持ち手部の両端にスパナ部を形成し、該スパナ部により固定部品の螺固を行うものであるが、該公知のスパナ構造のスパナ本体９０のスパナ部９１と持ち手部９２の軸方向回転角度は固定されており、施工位置の傾斜に応じて回転調整を行うことができない。しかも、該スパナ本体９０の持ち手部９２側面の接触面積は狭いため、螺固を緊密にしなければならない固定部品に用いる時には、応力が集中し手を傷め易い。さらに、公知のスパナ本体９０は一個のスパナ部９１だけを設置可能で、交換機能を具えないため、その適用範囲には限界がある。すなわち異なるサイズ或いは異なる形状のスパナ部９１を使用しようとするなら、別に新品を購入しなければならないため、経済的に無駄であり不便であった。
【特許文献１】中華民国特許公告第333112号公報
【考案の開示】
【考案が解決しようとする課題】
【０００３】
公知構造には以下の欠点があった。
すなわり公知のスパナ構造のスパナ部と持ち手部の軸方向回転角度は固定されているため施工位置の傾斜に応じて回転調整を行うことができず、しかも、スパナ本体の持ち手部側面は接触面積が狭いため、緊密な螺固を必要とする固定部品に用いる時には、応力が集中し手を傷め易い。さらに、公知のスパナ構造はスパナ部の交換機能を具えないため、その適用範囲には限界があり実用的ではない。
本考案は上記構造の問題点を解決した工具ヘッドを交換可能な手工具構造を提供するものである。
【課題を解決するための手段】
【０００４】
本考案の請求項１に記載の工具ヘッドを交換可能な手工具構造は、
手工具本体を含み、該手工具本体は少なくとも持ち手部を含み、該持ち手部は少なくとも一端に挿入設置部を延伸、形成し、該挿入設置部前端には挿入設置孔を設置し、該挿入設置孔は幾何学形状の設置空間を形成し、該挿入設置孔にはスパナヘッドを嵌設し、該スパナヘッドの一端には該挿入設置孔の形状と相互に対応する嵌接部を設置し、これにより該スパナヘッドが必要とする軸方向の角度を調整後に該挿入設置孔内に挿入し、該手工具本体と結合し、該挿入設置孔に異なるスパナ部を挿入設置することにより、該手工具本体の適用範囲を広げることを特徴とする。
【０００５】
請求項２に記載の工具ヘッドを交換可能な手工具構造は、請求項１の場合において、前記持ち手部と前記挿入設置部間には可動回転構造を設置することを特徴とする。
【０００６】
請求項３に記載の工具ヘッドを交換可能な手工具構造は、請求項１の場合において、前記スパナヘッドの嵌接部には結合部品を設置し、該結合部品により前記スパナヘッドは前記挿入設置孔から脱落しにくくなることを特徴とする
【０００７】
請求項４に記載の工具ヘッドを交換可能な手工具構造は、請求項３の場合において、前記結合部品はボールであることを特徴とする。
【０００８】
請求項５に記載の工具ヘッドを交換可能な手工具構造は、請求項３の場合において、前記結合部品はC型フックであることを特徴とする。
【０００９】
請求項６に記載の工具ヘッドを交換可能な手工具構造は、請求項３の場合において、前記結合部品は磁性吸着部品であることを特徴とする。
【考案の効果】
【００１０】
上記のように、本考案は公知のスパナが軸方向の調整ができず、またスパナヘッドを交換できないために招いていた種々の欠点を解決することができる。
【考案を実施するための最良の形態】
【００１１】
図１、２、３に示すように、本考案は主に手工具本体１を含む。該手工具本体１は少なくとも持ち手部１０の一端に挿入設置部１１を形成し、該挿入設置部１１前端には挿入設置孔１１１を設置する。該挿入設置孔１１１は様々なスパナヘッド１２を嵌合し設置可能で、かつ該挿入設置部１１の挿入設置孔１１１には多辺形の幾何学形状柱を形成し、適当な位置に環状凹槽１１２を形成する(該環状凹槽１１２の設置に関しては図６の標示を参照)。該様々なスパナヘッド１２は図３に示す開口スパナヘッド、図４に示すマフスパナヘッド、図５に示す可動スパナヘッド、図６に示す梅花型スパナヘッドなどがある。
該スパナヘッド１２の前端は螺固部品と嵌設するスパナ部１２１で、該スパナヘッド１２の後端は嵌接部１２２である。該嵌接部１２２と該挿入設置部１１挿入設置孔１１１の形状は相互に対応し、該挿入設置孔１１１内に挿入可能で、かつ該嵌接部１２２上には結合部品を設置する。該結合部品は該スパナヘッド１２及び該挿入設置部１１を結合するために用いる。該結合部品は図２に示すボール１２３、或いはC型フック１２４と挿入設置孔１１１の環状凹槽１１２、或いは磁性吸着部品１２５の吸着方式により、該挿入設置孔１１１と結合する(該結合部品の各種結合方式は公知の技術に属するため、ここでは詳述しない)。
該スパナヘッド１２を該挿入設置部１１の挿入設置孔１１１内に挿入すると、該スパナヘッド１２の結合部品は該挿入設置孔１１１と結合し、該スパナヘッド１２が脱落することはない。
【００１２】
本考案の必要に応じて交換可能な各種スパナヘッド１２は実施例に示すスパナヘッド１２の形態に限定するものではなく、様々な大きさ、或いはラチェットスパナ、開口スパナ、梅花型スパナ、可動スパナなどの様々な形態、構造のスパナヘッド１２に交換することができる。すなわち該挿入設置孔１１１の設置により、本考案は様々なスパナヘッド１２を組合せ可能で、適用範囲を広げ実用性を向上させることに成功している。
【００１３】
次に図６、７、８に示すように、本考案の使用時には、必要とするスパナヘッド１２を選んだ後は該スパナヘッド１２の軸方向角度を調整可能で、さらに該スパナヘッド１２を該手工具本体１の挿入設置部１１前端の挿入設置孔１１１内に挿入し、該スパナヘッド１２の結合部品により、該スパナヘッド１２と該手工具本体１を結合する。次に該スパナヘッド１２と締めようとする螺固部品を嵌設し、手で該持ち手部１０を握り、該螺固部品に対して力を加える。
使用者が異なるスパナヘッド１２を使用しようとする時には該スパナヘッド１２を該挿入設置部１１の挿入設置孔１１１から取外し、適したスパナヘッド１２を選び、再度該挿入設置孔１１１内に嵌設する。
【００１４】
本考案スパナヘッド１２の嵌接部１２２の形状は該挿入設置部１１の挿入設置孔１１１の形状と相互に対応するため、該スパナヘッド１２の軸方向回転角度を調整する必要がある時には、図６に示すように、該スパナヘッド１２を抜き取り、角度を調整後、再び該スパナヘッド１２を挿入すれば良い。これにより、該スパナヘッド１２は該持ち手部１０と異なる角度を呈し(図６、８参照)、異なる方向位置の螺固部品に便利に対応可能で、さらに該持ち手部１０と該スパナヘッド１２の軸方向回転角度を変えることができる。こうして使用者により大きな握持面積を提供し、螺固部品を回す時の応力の集中を減少させることができるため、手の痛みなどの現象の発生を減らすことができる。
【００１５】
続いて図９に示すように、該挿入設置部１１の挿入設置孔１１１は各種幾何学形状に形成可能で、第一実施例中の形態に限定するものではない。
さらに図１０に示すように、本考案の第二実施例の主な構造部品は第一実施例と同様である。両者の差異は、該持ち手部１０と該挿入設置部１１間に湾曲調整可能なピボット構造１３を形成することである。こうして該挿入設置部１１と該持ち手部１０は上向きの傾斜調整が可能となり、使用時には施工位置の障害物に対して調整を行うことができるようになり、本考案の適用範囲をさらに広げることができる。
【図面の簡単な説明】
【００１６】
【図１】本考案工具ヘッドを交換可能な手工具構造の外観立体図である。
【図２】本考案工具ヘッドを交換可能な手工具構造と様々なスパナヘッドの組み合わせ指示図である。
【図３】本考案工具ヘッドを交換可能な手工具構造組み立て後の外観立体図である。
【図４】本考案工具ヘッドを交換可能な手工具構造に他の形態のスパナヘッドを組み合わせる様子の外観立体図である。
【図５】本考案工具ヘッドを交換可能な手工具構造に他の形態のスパナヘッドを組み合わせる様子の外観立体図である。
【図６】本考案工具ヘッドを交換可能な手工具構造の使用指示図である。
【図７】本考案工具ヘッドを交換可能な手工具構造の調整指示図である。
【図８】本考案工具ヘッドを交換可能な手工具構造のスパナヘッドを軸方向に回転させた後の使用指示図である。
【図９】本考案工具ヘッドを交換可能な手工具構造の挿入設置孔の各種形態の断面指示図である。
【図１０】本考案第二実施例の立体指示図である。
【図１１】公知のスパナ構造の立体指示図である。
【図１２】公知のスパナ構造の立体指示図である。
【図１３】公知のスパナ構造の立体指示図である。
【符号の説明】
【００１７】
１  手工具本体
１０  持ち手部
１１  挿入設置部
１１１  挿入設置孔
１１２  環状凹槽
１２  スパナヘッド
１２１  スパナ部
１２２  嵌接部
１２３  ボール
１２４  C型フック
１２５  磁性吸着部品
１３  ピボット構造
【図１】
0003116359.tif 000003
【図２】
0003116359.tif 000004
【図３】
0003116359.tif 000005
【図４】
0003116359.tif 000006
【図５】
0003116359.tif 000007
【図６】
0003116359.tif 000008
【図７】
0003116359.tif 000009
【図８】
0003116359.tif 000010
【図９】
0003116359.tif 000011
【図１０】
0003116359.tif 000012
【図１１】
0003116359.tif 000013
【図１２】
0003116359.tif 000014
【図１３】
0003116359.tif 000015